(57)【特許請求の範囲】
【請求項１】
面状に発光する面状発光体と、
前記面状発光体からの光を制御する透明部材であって、前記面状発光体の発光面と対向するように配置され、当該透明部材内に前記面状発光体からの光を入射する光入射面と、前記光入射面と対向するように配置され、当該透明部材内を伝播した光を外部に出射する光出射面とを有する透明部材と、
を備え、
前記透明部材は、車幅方向に延在するよう形成されるとともに、前記車幅方向の位置に応じて前記光入射面と前記光出射面との間の距離が変動するように形成され、
前記透明部材の光入射面と、前記面状発光体の発光面との間隔が、前記車幅方向において一定であり、
前記面状発光体は、有機ＥＬパネルであり、
前記面状発光体の発光面と前記透明部材との間に空気層を備えることを特徴とする車両用灯具。
【請求項２】
前記光入射面は、前記車幅方向において階段状に形成されることを特徴とする請求項１に記載の車両用灯具。
【請求項３】
複数の前記面状発光体を備え、
前記複数の面状発光体は、前記車幅方向において連続的に配置されることを特徴とする請求項１または２に記載の車両用灯具。
【請求項４】
前記光入射面は、前記車幅方向において波形状に形成されることを特徴とする請求項１に記載の車両用灯具。
【請求項５】
前記透明部材は、略柱状体であることを特徴とする請求項１から４のいずれかに記載の車両用灯具。
【請求項６】
前記光出射面の少なくとも一部に、前記光出射面から外部に出射される光を拡散する拡散加工が施されていることを特徴とする請求項１から５のいずれかに記載の車両用灯具。
【請求項７】
前記拡散加工は、フロスト加工であることを特徴とする請求項６に記載の車両用灯具。
【発明の詳細な説明】
【技術分野】
【０００１】
本発明は、発光装置および該発光装置を用いた車両用灯具に関する。
【背景技術】
【０００２】
従来より、車両用灯具を薄く小型化するために、光源に有機ＥＬ（Ｅｌｅｃｔｒｏ  Ｌｕｍｉｎｅｓｃｅｎｃｅ）等の面状発光体を使用した車両用灯具が提案されている（例えば特許文献１参照）。
【先行技術文献】
【特許文献】
【０００３】
【特許文献１】特開２０１１−１５０８８７号公報
【発明の概要】
【発明が解決しようとする課題】
【０００４】
有機ＥＬパネル等の面状発光体は、通常、平面的な発光面を有するため、面状発光体を用いた車両用灯具は画一的な意匠となりがちである。
【０００５】
本発明はこうした状況に鑑みてなされたものであり、その目的は、面状発光体を用いた発光装置および車両用灯具の意匠性を向上することにある。
【課題を解決するための手段】
【０００６】
上記課題を解決するために、本発明のある態様の発光装置は、面状に発光する面状発光体と、面状発光体からの光を制御する透明部材とを備える。透明部材は、面状発光体の発光面と対向するように配置され、当該透明部材内に前記面状発光体からの光を入射する光入射面と、当該透明部材内を伝播した光を外部に出射する光出射面とを有する。透明部材は、所定の方向に延在するよう形成されるとともに、所定の方向の位置に応じて光入射面と光出射面との間の距離が変動するように形成される。ここで、「伝播」とは、光がレンズ等を透過する事象だけでなく、光が導光体の内部で全反射を繰り返しながら進行する事象も含む。
【０００７】
光入射面は、所定の方向において波形状または階段状に形成されてもよい。
【０００８】
透明部材は、光入射面から光出射面までの間に曲折部を有してもよい。
【０００９】
曲折部は、面状発光体の発光面の法線方向において、前記光出射面から離間していてもよい。
【００１０】
光出射面は、所定の方向において曲折していてもよい。
【００１１】
面状発光体の発光面と透明部材との間に空気層を備えてもよい。
【００１２】
光出射面の少なくとも一部に、光出射面から外部に出射される光を拡散する拡散加工が施されていてもよい。該拡散加工は、フロスト加工であってよい。また、該拡散加工は、拡散シート等の拡散部材を光出射面に貼り付ける加工であってもよい。
【００１３】
本発明の別の態様は、上述の発光装置を光源として用いた車両用灯具である。
【発明の効果】
【００１４】
本発明によれば、面状発光体を用いた発光装置および車両用灯具の意匠性を向上することができる。
【図面の簡単な説明】
【００１５】
【図１】本発明の実施形態に係る車両用灯具を説明するための概略断面図である。
【図２】本発明の実施形態に係る発光装置の概略分解斜視図である。
【図３】本発明の別の実施形態に係る発光装置の概略分解斜視図である。
【図４】本発明のさらに別の実施形態に係る発光装置の概略分解斜視図である。
【図５】本発明のさらに別の実施形態に係る発光装置の概略分解斜視図である。
【図６】本発明のさらに別の実施形態に係る発光装置の概略分解斜視図である。
【図７】本発明の実施形態に係る発光装置の組み付け構造を説明するための図である。
【図８】本発明の実施形態に係る発光装置の別の組み付け構造を説明するための図である。
【図９】本発明の実施形態に係る発光装置のさらに別の組み付け構造を説明するための図である。
【図１０】図１０（ａ）および（ｂ）は、有機ＥＬパネルと透明部材との間に空気層を設けたことによる利点を説明するための図である。
【図１１】本発明のさらに別の実施形態に係る発光装置の概略斜視図である。
【図１２】図１１に示す発光装置を用いた車両用灯具の概略正面図である。
【図１３】図１２に示す車両用灯具のＡ−Ａ概略断面図である。
【図１４】図１２に示す車両用灯具のＢ−Ｂ概略断面図である。
【図１５】本発明のさらに別の実施形態に係る発光装置の概略斜視図である。
【図１６】本発明のさらに別の実施形態に係る発光装置の概略分解斜視図である。
【図１７】図１７（ａ）〜（ｃ）は、図１６に示す発光装置の変形例を示す図である。
【発明を実施するための形態】
【００１６】
以下、図面を参照して本発明の実施形態に係る発光装置および該発光装置を用いた車両用灯具について詳細に説明する。なお、本明細書において「上」、「下」、「前」、「後」、「左」、「右」、「内」、「外」等の方向を表す用語が用いられる場合、それらは車両用灯具が車両に装着されたときの姿勢における方向を意味する。
【００１７】
図１は、本発明の実施形態に係る車両用灯具１０を説明するための概略断面図である。図１に例示した車両用灯具１０は、車両左後部に設けられるテールランプである。
【００１８】
図１に示すように、車両用灯具１０は、ランプボディ１２と、ランプボディ１２の前面開口部を覆う透明なカバー１４と、ランプボディ１２およびカバー１４により形成された灯室１６内に設けられた発光装置２０とを備える。発光装置２０は、図示しない支持部材によりランプボディ１２に固定されている。
【００１９】
図１に示すように、カバー１４は、車両後部の形状に倣った形状とされ、車両内側から外側にかけてなだらかに車両前側に傾斜している。
【００２０】
図２は、本発明の実施形態に係る発光装置２０の概略分解斜視図である。図１および図２に示すように、発光装置２０は、３枚の平面形状の有機ＥＬパネル２２と、有機ＥＬパネル２２の発光面２２ａを覆うように形成および配置された透明部材２４とを備える。有機ＥＬパネル２２は、平面状に発光する。透明部材２４は、有機ＥＬパネル２２からの光を制御し、灯具前方に出射する。なお、ここでは面状発光体の一例として有機ＥＬパネルを例示したが、面状発光体は有機ＥＬパネルに限定されない。
【００２１】
透明部材２４は、車幅方向（車両内外方向）に延在するよう形成された略柱状体（断面蒲鉾状の柱状体）である。透明部材２４は、例えばアクリル等の透明樹脂や光学ガラスによって形成されてよい。透明部材２４は、有機ＥＬパネル２２の発光面２２ａと対向するように配置された光入射面２５と、光入射面２５と対向するように配置された光出射面２６とを備える。光入射面２５から透明部材２４内に入射した光は、透明部材２４内を伝播（透過）した後、光出射面２６から外部に出射される。
【００２２】
図１に示すように、透明部材２４の光出射面２６は、カバー１４の形状に倣った形状とされ、車両内側から外側にかけてなだらかに車両前側に傾斜している。一方、透明部材２４の光入射面２５は、車幅方向に沿って階段状に形成されている。階段状の光入射面２５は、光出射面２６と対向する３つの段面２５ａと、段面２５ａをつなぐ２つの段差面２６ａとから構成される。各段面２５ａに対向するように１つの有機ＥＬパネル２２が配置される。本実施形態では、有機ＥＬパネル２２の発光面２２ａと、透明部材２４の光入射面２５の段面２５ａとが離間しており、両者の間に空気層が設けられている。
【００２３】
このように透明部材２４は、車幅方向に沿って階段状に形成された光入射面２５と、車両内側から外側にかけてなだらかに車両前側に傾斜した光出射面２６とを有する。このような光入射面２５および光出射面２６を有することにより、本実施形態の透明部材２４においては、車幅方向の位置に応じて光入射面２５と光出射面２６との間の距離が変動している。ここで本実施形態においては、「距離」とは光入射面２５と光出射面２６との間の直線距離を意味する。このように車幅方向の位置に応じて光入射面２５と光出射面２６との間の距離が変動していることにより、本実施形態に係る発光装置２０は、発光時に奥行き感（３次元的な見栄え）を視認者に提示することができ、意匠性を向上できる。本実施形態に係る発光装置２０では、平面形状の有機ＥＬパネル２２を用いて奥行き感を提示できていることに留意されたい。
【００２４】
また、通常は平面形状の有機ＥＬパネルをカバー１４の曲面に沿わせることは難しい。しかしながら、本実施形態に係る透明部材２４を用いて、透明部材２４の表面の光出射面２６をカバー１４の曲面に沿うように形成し、且つ透明部材２４の裏面の光入射面２５を有機ＥＬパネル２２に対向させることで、あたかも光出射面２６が有機ＥＬパネルがカバー１４の曲面に沿って配置されているかのような見栄えを実現できる。
【００２５】
図３は、本発明の別の実施形態に係る発光装置３０の概略分解斜視図である。この発光装置３０もまた、３つの平面形状の有機ＥＬパネル２２と、略柱状体の透明部材２４とを備える。透明部材２４の光出射面２６は、カバー１４の形状に倣った形状とされ、車両内側から外側にかけてなだらかに車両前側に傾斜している。一方、透明部材２４の光入射面２５は、車幅方向に並ぶように配置された３つの平面３２から成る。これら３つの平面３２は、折れ曲がって連結されている。各平面３２に対向するように１つの有機ＥＬパネル２２が配置される。本実施形態においても、有機ＥＬパネル２２の発光面２２ａと、透明部材２４の光入射面２５の平面３２とが離間しており、両者の間に空気層が設けられている。
【００２６】
本実施形態に係る発光装置３０においても、車幅方向の位置に応じて光入射面２５と光出射面２６との間の距離が変動している。これにより、本実施形態に係る発光装置３０においても、発光時に奥行き感（３次元的な見栄え）を視認者に提示することができ、意匠性を向上できる。また、本実施形態に係る発光装置３０においても、平面形状の有機ＥＬパネル２２を用いているにもかかわらず、あたかも光出射面２６が有機ＥＬパネルがカバー１４の曲面に沿って配置されているかのような見栄えを実現できる。
【００２７】
図４は、本発明のさらに別の実施形態に係る発光装置４０の概略分解斜視図である。この発光装置４０は、曲面形状の有機ＥＬパネル２２と、略柱状体の透明部材２４とを備える。透明部材２４の光出射面２６は、カバー１４の形状に倣った形状とされ、車両内側から外側にかけてなだらかに車両前側に傾斜している。一方、透明部材２４の光入射面２５は、車幅方向に沿って波形状（例えば正弦波状）に形成されている。
【００２８】
本実施形態に係る発光装置４０では、有機ＥＬパネル２２は、フレキシブルな有機ＥＬパネルである。有機ＥＬパネル２２は、透明部材２４の光入射面２５に対応して、車幅方向に沿って波形状（例えば正弦波状）とされ、発光面２２ａが光入射面２５に対応するように配置される。本実施形態においても、有機ＥＬパネル２２の発光面２２ａと、透明部材２４の光入射面２５とが離間しており、両者の間に空気層が設けられている。
【００２９】
本実施形態に係る発光装置４０においても、車幅方向の位置に応じて光入射面２５と光出射面２６との間の距離が変動している。これにより、本実施形態に係る発光装置４０においても、発光時に奥行き感（３次元的な見栄え）を視認者に提示することができ、意匠性を向上できる。
【００３０】
図５は、本発明のさらに別の実施形態に係る発光装置５０の概略分解斜視図である。この発光装置５０もまた、曲面形状の有機ＥＬパネル２２と、略柱状体の透明部材２４とを備える。透明部材２４の光出射面２６は、カバー１４の形状に倣った形状とされ、車両内側から外側にかけてなだらかに車両前側に傾斜している。本実施形態の透明部材２４の光出射面２６は、断面Ｖ字形状である。一方、透明部材２４の光入射面２５は、車幅方向に沿って波形状（例えば正弦波状）に形成されている。
【００３１】
本実施形態に係る発光装置５０においても、有機ＥＬパネル２２は、フレキシブルな有機ＥＬパネルである。有機ＥＬパネル２２は、透明部材２４の光入射面２５に対応して、車幅方向に沿って波形状（例えば正弦波状）とされ、発光面２２ａが光入射面２５に対応するように配置される。本実施形態においても、有機ＥＬパネル２２の発光面２２ａと、透明部材２４の光入射面２５とが離間しており、両者の間に空気層が設けられている。
【００３２】
本実施形態に係る発光装置５０においても、車幅方向の位置に応じて光入射面２５と光出射面２６との間の距離が変動している。これにより、本実施形態に係る発光装置５０においても、発光時に奥行き感（３次元的な見栄え）を視認者に提示することができ、意匠性を向上できる。
【００３３】
図６は、本発明のさらに別の実施形態に係る発光装置６０の概略分解斜視図である。この発光装置６０もまた、曲面形状の有機ＥＬパネル２２と、略柱状体の透明部材２４とを備える。透明部材２４の光出射面２６は、カバー１４の形状に倣った形状とされ、車両内側から外側にかけてなだらかに車両前側に傾斜している。本実施形態の透明部材２４の光出射面２６は、断面三角形状である。一方、透明部材２４の光入射面２５は、車幅方向に沿って波形状（例えば正弦波状）に形成されている。
【００３４】
本実施形態に係る発光装置６０においても、有機ＥＬパネル２２は、フレキシブルな有機ＥＬパネルである。有機ＥＬパネル２２は、透明部材２４の光入射面２５に対応して、車幅方向に沿って波形状（例えば正弦波状）とされ、発光面２２ａが光入射面２５に対応するように配置される。本実施形態においても、有機ＥＬパネル２２の発光面２２ａと、透明部材２４の光入射面２５とが離間しており、両者の間に空気層が設けられている。
【００３５】
本実施形態に係る発光装置６０においても、車幅方向の位置に応じて光入射面２５と光出射面２６との間の距離が変動している。これにより、本実施形態に係る発光装置６０においても、発光時に奥行き感（３次元的な見栄え）を視認者に提示することができ、意匠性を向上できる。
【００３６】
図７は、本発明の実施形態に係る発光装置の組み付け構造を説明するための図である。図７は、発光装置７０の延在方向に垂直な断面図である。図７に示すように、発光装置７０においては、有機ＥＬパネル２２の発光面２２ａと、透明部材２４の光入射面２５とが離間しており、両者の間に空気層７２が設けられている。
【００３７】
図７に示す発光装置７０では、有機ＥＬパネル２２と透明部材２４とが接着剤７４により互いに固定されている。接着剤７４は、有機ＥＬパネル２２の端部に位置する非発光部２２ｂ上に設けられており、発光部２２ｃから発出された光を遮ることはない。この接着剤７４は、有機ＥＬパネル２２の発光面２２ａと透明部材２４の光入射面２５との間の距離を規定する役割も有している。
【００３８】
図８は、本発明の実施形態に係る発光装置の別の組み付け構造を説明するための図である。図８は、発光装置８０の延在方向に垂直な断面図である。図８に示すように、発光装置８０においても、有機ＥＬパネル２２の発光面２２ａと、透明部材２４の光入射面２５とが離間しており、両者の間に空気層７２が設けられている。
【００３９】
図８に示す発光装置８０は、有機ＥＬパネル２２の発光面２２ａと透明部材２４の光入射面２５との間に、両者間の距離を規定するためのスペーサ８２を備える。また、発光装置８０は、透明部材２４、スペーサ８２および有機ＥＬパネル２２を挟み込むことにより固定するブラケット８４を備える。
【００４０】
本実施形態に係る発光装置８０において、スペーサ８２は、有機ＥＬパネル２２の端部に位置する非発光部２２ｂ上に設けられており、発光部２２ｃから発出された光を遮ることはない。
【００４１】
図９は、本発明の実施形態に係る発光装置のさらに別の組み付け構造を説明するための図である。図９は、発光装置９０の延在方向に垂直な断面図である。図９に示すように、発光装置９０においても、有機ＥＬパネル２２の発光面２２ａと、透明部材２４の光入射面２５とが離間しており、両者の間に空気層７２が設けられている。
【００４２】
図９に示す発光装置９０において、透明部材２４の光入射面２５の端部には、有機ＥＬパネル２２の発光面２２ａと透明部材２４の光入射面２５との間の距離を規定するための突出部９２が形成されている。発光装置９０は、透明部材２４、透明部材２４の突出部９２および有機ＥＬパネル２２をブラケット８４で挟み込むことにより、組み付けられる。
【００４３】
本実施形態に係る発光装置９０において、突出部９２は、有機ＥＬパネル２２の端部に位置する非発光部２２ｂ上に設けられており、発光部２２ｃから発出された光を遮ることはない。
【００４４】
図１０（ａ）および（ｂ）は、有機ＥＬパネル２２と透明部材２４との間に空気層７２を設けたことによる利点を説明するための図である。ここでは、空気の屈折率が１であるとする。また、有機ＥＬパネル２２と透明部材２４の屈折率が共に１．５であるとする。
【００４５】
図１０（ａ）は、有機ＥＬパネル２２の発光面２２ａと透明部材２４の光入射面２５とが密着されており、空気層が存在しない比較例を示す。このとき、発光面２２ａから角度θ１で出射した光が角度θ２で透明部材２４内に入射するとすると、有機ＥＬパネル２２と透明部材２４の屈折率が等しく、さらに空気層が存在しないため、有機ＥＬパネル２２と透明部材２４の界面での屈折はなく、θ１＝θ２である。一方、透明部材２４の側面２４ａでの臨界角θｃは、θｃ＝ｓｉｎ−１（１／１．５）＝４１．８°となる。透明部材２４内に入射した光の側面２４ａへの入射角をθ３とすると、θ３が４１．８°未満であると、透明部材２４の側面２４ａから光が出射されることになる。つまり、θ３＝９０°−θ２であるため、θ２＝θ１＝４８．２°以上のときに、透明部材２４の側面２４ａから光が出射される。側面２４ａから出射される光が多いと、光出射面２６から出射される光の強度が低下するおそれがある。
【００４６】
図１０（ｂ）は、有機ＥＬパネル２２の発光面２２ａと透明部材２４の光入射面２５との間に空気層７２が存在する実施例を示す。このとき、空気層７２から角度θ１’≒９０°で光入射面２５に入射した光を考える。この光は、空気層７２と光入射面２５の界面で角度θ２’＝４１．８°に屈折する。この光が透明部材２４の側面２４ａに入射する角度θ３’は、θ３＝９０°−４１．８°＝４８．２°である。このθ３＝４８．２°は、側面２４ａの臨界角θｃ＝４１．８°よりも大きいため、光は側面２４ａで全反射し、光出射面２６から出射される。このように角度θ１’≒９０°で光入射面２５に入射した光が光出射面２６から出射されるため、理論上、９０°以下の角度θ１’で光入射面２５に入射した光は全て光出射面２６から出射されることになる。このように、有機ＥＬパネル２２の発光面２２ａと透明部材２４の光入射面２５との間に空気層７２を設けることにより、光出射面２６から出射される光の強度を上記比較例よりも増加することができる。すなわち、本実施形態に係る発光装置によれば、光利用効率を向上できる。
【００４７】
図１１は、本発明のさらに別の実施形態に係る発光装置１１０の概略斜視図である。図１２は、図１１に示す発光装置１１０を用いた車両用灯具１２０の概略正面図である。図１３は、図１２に示す車両用灯具１２０のＡ−Ａ概略断面図である。図１４は、図１２に示す車両用灯具１２０のＢ−Ｂ概略断面図である。
【００４８】
本実施形態の車両用灯具１２０は、車両右光部に設けられるテールランプである。図１３に示すように、車両用灯具１２０のカバー１４は、車両後部の形状に倣った形状とされ、車両内側から外側にかけてなだらかに車両前側に傾斜している。
【００４９】
図１１〜図１４に示すように、発光装置１１０は、１枚の平面形状の有機ＥＬパネル１２２と、有機ＥＬパネル１２２からの光を制御して灯具前方に出射する透明部材１２４とを備える。
【００５０】
図１１〜図１４に示すように、有機ＥＬパネル１２２は、車幅方向（車両内外方向）に延在するよう形成された細長い形状の有機ＥＬパネルである。有機ＥＬパネル１２２の中央部は、車両内形から外側にかけて車両前側に湾曲している。有機ＥＬパネル１２２は、その光出射面１２２ａが下方を向くように配置される。ここでは面状発光体の一例として有機ＥＬパネルを例示したが、面状発光体は有機ＥＬパネルに限定されない。
【００５１】
図１１〜図１４に示すように、透明部材１２４は、三次元に湾曲した板状導光体である。透明部材１２４は、車幅方向（車両内外方向）に延在するとともに、車長方向（車両前後方向）にも延在している。透明部材１２４の一側面は、有機ＥＬパネル１２２からの光を入射する光入射面１２４ａとされている。また、透明部材１２４において光入射面１２４ａと対向する他の一側面は、透明部材内を伝播（導光）した光を灯具前方に出射する光出射面１２４ｂとされている。
【００５２】
透明部材１２４は、光入射面１２４ａが有機ＥＬパネル１２２の光出射面１２２ａに対向するとともに、光出射面１２４ｂが灯具前方を向くように配置される。本実施形態においても、有機ＥＬパネル１２２の光出射面１２２ａと、透明部材１２４の光入射面１２４ａとが離間しており、両者の間に空気層が設けられている。
【００５３】
図１４に示すように、有機ＥＬパネル１２２の光出射面１２２ａから出射された光は、光入射面１２４ａから透明部材１２４内に入射する。透明部材１２４内に入射した光は、透明部材１２４の内部で全反射を繰り返しながら進行し、光出射面１２４ｂから外部、すなわち灯具前方に出射される。
【００５４】
本実施形態の透明部材１２４においても、車幅方向の位置に応じて光入射面１２４ａと光出射面１２４ｂとの間の距離が変動している。ここで本実施形態においては、「距離」とは光入射面１２４ａから光出射面１２４ｂへの延出方向の距離を意味する。このように車幅方向の位置に応じて光入射面１２４ａと光出射面１２４ｂとの間の距離が変動していることにより、本実施形態に係る発光装置１１０は、発光時に奥行き感（３次元的な見栄え）を視認者に提示することができ、意匠性を向上できる。本実施形態に係る発光装置１１０においても、平面形状の有機ＥＬパネル１２２を用いて奥行き感を提示できている。
【００５５】
また、本実施形態に係る透明部材１２４は、図１１，図１４から分かるように、光入射面１２４ａから光出射面１２４ｂまでの間に、上下方向から灯具前方に向けて折れ曲がる曲折部１２４ｃを有する。この曲折部１２４ｃは、有機ＥＬパネル１２２の発光面の法線方向において、光出射面１２４ｂから離間している。すなわち、図１４に示すように、透明部材１２４の曲折部１２４ｃは、光出射面１２４ｂより距離Ｄ下方に位置している。透明部材１２４がこのような曲折部１２４ｃを有することにより、本実施形態に係る発光装置１１０は、発光時により奥行き感を視認者に提示できる。
【００５６】
さらに、本実施形態に係る透明部材１２４の光出射面１２４ｂは、図１１、図１２から分かるように、車幅方向において曲折した曲折部１２４ｄを有する。曲折部１２４ｄは、例えば図１１、図１２に示すように波形状であってよい。光出射面１２４ｂがこのような曲折部１２４ｄを有することにより、本実施形態に係る発光装置１１０は、発光時にさらにより奥行き感を視認者に提示できる。
【００５７】
図１５は、本発明のさらに別の実施形態に係る発光装置１５０の概略斜視図である。図１５に示す発光装置１５０の透明部材１５４は、上述した発光装置１１０の透明部材１２４と異なる形状を有する。本実施形態の透明部材１５４は、光入射面１５４ａから光出射面１５４ｂまでの間に、上下方向から灯具前方に向けて折れ曲がる第１曲折部１５４ｃに加えて、上下方向から灯具後方に向けて折れ曲がる第２曲折部１５４ｄを有する。また、有機ＥＬパネル１２２は、その光出射面１２２ａが灯具前方を向くように配置されている。
【００５８】
本実施形態に係る発光装置１５０において、有機ＥＬパネル１２２の光出射面１２２ａから出射された光は、光入射面１５４ａから透明部材１２４内に入射する。透明部材１５４内に入射した光は、透明部材１２４の内部で全反射を繰り返しながら、第２曲折部１５４ｄ、第１曲折部１５４ｃを順に通り、光出射面１２４ｂから外部、すなわち灯具前方に出射される。
【００５９】
本実施形態の透明部材１５４においては、透明部材１５４が第１曲折部１５４ｃに加えて第２曲折部１５４ｄを有することにより、発光時にさらに奥行き感を視認者に提示することができ、意匠性を向上できる。本実施形態に係る発光装置１５０においても、平面形状の有機ＥＬパネル１２２を用いて奥行き感を提示できている。
【００６０】
図１６は、本発明のさらに別の実施形態に係る発光装置２００の概略分解斜視図である。本実施形態に係る発光装置２００は、図３に示す発光装置３０と同様に、３つの平面形状の有機ＥＬパネル２２と、略柱状体の透明部材２４とを備える。有機ＥＬパネル２２の発光面２２ａと、透明部材２４の光入射面２５の平面３２とが離間しており、両者の間に空気層が設けられている。本実施形態に係る発光装置２００においても、車幅方向の位置に応じて光入射面２５と光出射面２６との間の距離が変動している。透明部材２４の光出射面２６は、断面半円形状である。
【００６１】
本実施形態に係る発光装置２００では、透明部材２４の光出射面２６に、該光出射面２６から外部に出射される光を拡散する拡散加工（ハッチングで示す）が施されている。この拡散加工は、例えばフロスト加工であってよい。あるいは、拡散加工は、拡散シート等の拡散部材を光出射面に貼り付ける加工であってもよい。この拡散加工は、光出射面２６の全面に施されていてもよいし、光出射面２６の一部のみに施されていてもよい。また透明部材２４の側面２４ａに鏡面加工が施されていてもよい。
【００６２】
本実施形態に係る発光装置２００においては、透明部材２４の光出射面２６に拡散加工が施されていることにより、有機ＥＬパネル２２が外部から視認し難くなり、光出射面２６の形状が視認しやすくなる。その結果、光出射面２６における拡散加工が施されている部分があたかも空中に浮いているかのような印象を視認者に与えることができ、意匠性を向上できる。本実施形態に係る発光装置２０では、平面形状の有機ＥＬパネル２２を用いて上記のような印象を提示できていることに留意されたい。
【００６３】
図１７（ａ）〜（ｃ）は、図１６に示す発光装置２００の変形例を示す。図１７（ａ）〜（ｃ）は、透明部材２４の一部を図示している。なお、図１７（ａ）〜（ｃ）では、透明部材２４のみ図示しており、有機ＥＬパネル２２の図示を省略している。
【００６４】
図１７（ａ）〜（ｃ）に示すように、光出射面２６の形状は断面半円形状に限定されず、様々な形状をとることができる。図１７（ａ）では、透明部材２４の光出射面２６は平面状であり、該平面状の光出射面２６に拡散加工が施されている。図１７（ｂ）では、透明部材２４の光出射面２６は３次元曲面状であり、該３次元曲面状の光出射面２６に拡散加工が施されている。図１７（ｃ）では、透明部材２４の光出射面２６は断面三角形状であり、該段面三角形状の光出射面２６に拡散加工が施されている。図１７（ａ）〜（ｃ）に示す各実施例においても、上記の図１６に示す発光装置２００と同様に、光出射面２６における拡散加工が施されている部分があたかも空中に浮いているかのような印象を視認者に与えることができ、意匠性を向上できる。
【００６５】
図１７（ａ）〜（ｃ）に示す各実施例では、透明部材２４の側面２４ａに鏡面加工が施されていてもよい。また、透明部材２４の側面２４ａのうち光出射面２６に近接する部分２４ａ’には、鏡面加工に代えて、拡散加工が施されていてもよい。
【００６６】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００６７】
１０，１２０  車両用灯具、  １２  ランプボディ、  １４  カバー、  ２０，３０，４０，５０，６０，７０，８０，９０，１１０，１５０，２００  発光装置、  ２２，１２２  有機ＥＬパネル、  ２４，１２４，１５４  透明部材、  ２５  光入射面、  ２６  光出射面、  ７２  空気層、  ７４  接着剤、  ８２  スペーサ、  ８４  ブラケット。
【図１】
0006723702.tif 000002
【図２】
0006723702.tif 000003
【図３】
0006723702.tif 000004
【図４】
0006723702.tif 000005
【図５】
0006723702.tif 000006
【図６】
0006723702.tif 000007
【図７】
0006723702.tif 000008
【図８】
0006723702.tif 000009
【図９】
0006723702.tif 000010
【図１０】
0006723702.tif 000011
【図１１】
0006723702.tif 000012
【図１２】
0006723702.tif 000013
【図１３】
0006723702.tif 000014
【図１４】
0006723702.tif 000015
【図１５】
0006723702.tif 000016
【図１６】
0006723702.tif 000017
【図１７】
0006723702.tif 000018